(57)【要約】  容器１２の開口部の周りで容器に取付可能である内側部分１８と、内側部分に装着可能である外側部分２０とを備える容器用の閉蓋具１０を開示する。内側部分は少なくとも２つの内側貫通孔３４，３６を形成し、外側部分は少なくとも１つの外側貫通孔５２を形成する。偏倚手段６０が、内側部分と外側部分との間に偏倚力を及ぼすように構成される。外側部分は、内側部分に装着されたとき、内側部分に対して摺動することが可能であり、この摺動は、外側貫通孔が内側部分により閉塞される休止位置と、外側貫通孔が第１の内側貫通孔と整列される第１の取出し位置と、外側貫通孔が第２の内側貫通孔と整列される第２の取出し位置との間におけるものである。閉蓋具は、第２の取出し位置に向かう外側部分の摺動が偏倚力に抗して起きるように構成される。【選択図】図４
2012504080.tif 000002
【特許請求の範囲】
【請求項１】
容器（１２）の開口部の周りで容器（１２）に取付可能となっており、少なくとも２つの内側貫通孔（３４、３６）を形成している内側部分（１８）と、
前記内側部分（１８）に装着可能となっており、少なくとも１つの外側貫通孔（５２）を形成している外側部分（２０）と、
前記内側部分（１８）と前記外側部分（２０）との間に偏倚力を及ぼすように構成されている偏倚手段（６０）と、
を備えている、容器（１２）用の閉蓋具において、
前記外側部分（２０）は、前記内側部分に装着されたとき、前記内側部分（１８）に対して摺動することができ、
前記摺動は、前記外側貫通孔（５２）が前記内側部分（１８）によって閉塞される休止位置と、前記外側貫通孔（５２）が第１の内側貫通孔（３６）と整列される第１の取出し位置と、前記外側貫通孔（５２）が第２の内側貫通孔（３４）と整列される第２の取出し位置との間におけるものであり、
前記第２の取出し位置に向かう前記外側部分（２０）の前記摺動が、前記偏倚力に抗して起きるように構成されていることを特徴とする、閉蓋具。
【請求項２】
前記外側部分（２０）が、前記偏倚手段（６０）の実質的な干渉なしに、前記休止位置と前記第１の取出し位置との間で摺動するように構成されていることを特徴とする、請求項１に記載の閉蓋具。
【請求項３】
前記外側部分（２０）が、前記偏倚力に抗して、前記第１の取出し位置から前記第２の取出し位置まで摺動するように構成されていることを特徴とする、請求項１に記載の閉蓋具。
【請求項４】
前記第１の内側貫通孔（３６）には、流出を抑えるための付属品（３８）が設けられていることを特徴とする、請求項１〜３のいずれか一項に記載の閉蓋具。
【請求項５】
前記付属品が、逆流防止弁（３８）であることを特徴とする、請求項４に記載の閉蓋具。
【請求項６】
前記逆流防止弁（３８）によって、細長い対象物を通すことによって開口され、かつ、細長い対象物を前記開口部（３６）から抜き取ると閉鎖されることができる貫通孔（３６）が形成されることを特徴とする、請求項５に記載の閉蓋具。
【請求項７】
前記内側部分（１８）と前記外側部分（２０）との間における前記摺動は、回転移動であることを特徴とする、請求項１〜６のいずれか一項に記載の閉蓋具。
【請求項８】
前記外側部分（２０）が、前記内側部分（１８）に対して捻られるように構成されていることを特徴とする、請求項７に記載の閉蓋具。
【請求項９】
前記内側部分（１８）を前記容器（１２）に固定状態で取付可能であることを特徴とする、請求項１〜８のいずれか一項に記載の閉蓋具。
【請求項１０】
前記内側部分（１８）を前記容器（１２）に着脱自在に取付可能であることを特徴とする、請求項１〜８のいずれか一項に記載の閉蓋具。
【請求項１１】
取付部分（１６）を介して前記内側部分（１８）を前記容器（１２）に間接的に取付可能であることを特徴とする請求項１〜１０のいずれか一項に記載の閉蓋具。
【請求項１２】
前記内側部分（１８）が、前記取付部分（１６）に対して摺動可能であることを特徴とする、請求項１１に記載の閉蓋具。
【請求項１３】
前記内側部分（１８）が、前記取付部分（１６）に対して固定されることを特徴とする、請求項１１に記載の閉蓋具。
【請求項１４】
所定の閾値を超える摺動力を前記内側部分（１８）に加えた場合、前記内側部分（１８）が、前記取付部分（１６）に対して摺動することを特徴とする、請求項１２に記載の閉蓋具。
【請求項１５】
容器（１２）の開口部の周りで容器（１２）に取付可能となっており、少なくとも１つの内側貫通孔（３４）を形成している内側部分（１８）と、
前記内側部分（１８）に装着可能となっており、少なくとも１つの外側貫通孔（５２）を形成している外側部分（２０）と、
前記内側部分（１８）と前記外側部分（２０）との間に偏倚力を及ぼすように構成されている偏倚手段（６０）と、
を備えている、容器（１２）用の閉蓋具であって、
前記外側部分（２０）は、前記内側部分に装着されたとき、前記内側部分（１８）に対して回転することができ、
前記回転は、前記外側貫通孔（５２）が前記内側部分（１８）によって閉塞される休止位置と、前記外側貫通孔（５２）が前記内側貫通孔（３４）と整列される取出し位置との間におけるものである、閉蓋具において、
前記偏倚手段（６０）は、前記内側部分（１８）の形成体（４２）と、前記外側部分（２０）の形成体（５２）との間に、円周方向に延びていることを特徴とする、閉蓋具。
【請求項１６】
前記偏倚手段が、少なくとも１つの圧縮ばね（６０）を含むことを特徴とする、請求項１５に記載の閉蓋具。
【請求項１７】
前記偏倚手段が、互いに正反対の位置に配置される２つの圧縮ばね（６０）を含むことを特徴とする、請求項１６に記載の閉蓋具。
【請求項１８】
前記偏倚手段（６０）が、前記外側部分（２０）の内側に形成される少なくとも１つの環状の凹部（５４）に沿って延びていることを特徴とする、請求項１５〜１７のいずれか一項に記載の閉蓋具。
【請求項１９】
前記偏倚手段（６０）は、前記取出し位置に向かう前記外側部分（２０）の回転が、少なくとも一部の回転に対する前記偏倚力に抗して起きるように構成されていることを特徴とする、請求項１５〜１８のいずれか一項に記載の閉蓋具。
【請求項２０】
前記外側部分（２０）が、前記偏倚手段（６０）の実質的な干渉なしに、前記休止位置から前記取出し位置の方向に摺動するように構成されていることを特徴とする、請求項１に記載の閉蓋具。
【発明の詳細な説明】
【技術分野】
【０００１】
本発明は、容器用の閉蓋具に関し、特に、子供の手が届かない状態に維持されるべき液体物質を収容する容器用の閉蓋具に関する。
【背景技術】
【０００２】
多くの蓋その他の閉蓋具は、子供の手が届かない状態に維持されるべき危険物質を収容する容器に使用することができる。これらの蓋は、通常、容器のねじ部に螺合され、開口部位から捻って開けたり、開口部位に捻って閉めたりすることができるが、何らかの解放動作が実行されるまで、蓋が捻られることを防ぐ機構を含む。小さい子供にとって、解放動作は一般的にあまりにも複雑であるため、又は、過剰な力を必要とするため、実行することができず、結果的に、小さい子供にはこれらの蓋を開けることができない。しかし、これらの蓋は、正しく閉鎖された場合のみ開口への抵抗を示すが、それは、大人の労力を必要とする。また、子供がこれらの蓋を開けるのが困難なだけでなく、例えば高齢者、関節炎のある人々のような大人でも蓋を開けるのに苦労し、またしばしば、通常の閉蓋具を有する容器（この場合、子供が内容物に触れる可能性がある。）から内容物を取り出すのに苦労する。
【０００３】
幼児用医薬品のような多くの液体製剤は、針なしシリンジを用いて便利に計量及び／又は投与することができるが、製剤をシリンジの中に吸い取るためには、製剤を収容している容器を開口する必要があり、また、開けておく必要がある。さらに、液体製剤を容器からシリンジの中に吸い取り、幼児に投与すると同時に容器、また場合によっては、子供まで扱う作業は、一人の手には負えない。そのため、多くの場合、容器は、容器から液体製剤を吸い込むために開口され、その後、製剤を投与し、幼児の世話が終わるまで、蓋が容器に装着される前には、開口されたままにある。多くの場合、例えば幼児が並々ならぬ思いやりを必要とする場合、大人が容器を閉め遅れ、結果的に、容器が長時間開口された状態にあって、誤ってひっくり返されたり、近くの子供に取られたりすることがあり得る。
【０００４】
液体内容物を取り出している間に容器を開口したままにする上での問題は、シリンジで医薬品を計量／投与することに限らず、内容物を注いだり、他の方法で取り出したりすることが必要なときにも起こる。
【０００５】
抵抗に逆らって開口され、かつ、自動的に閉鎖される容器を提供することによって、容器を開口したままにする上での問題に取り組もうとしている。しかし、このような容器の場合、片手で容器の開放状態を維持しながら、片手でシリンジを操作することが非常に困難なため、シリンジで液体を取り出すためには非常に不便である。
【０００６】
いわゆる「子供に安全な」容器蓋の多くは、容器のねじ部に捻って螺合されるが、それらの解放動作が子供にとってあまりにも複雑であるとはいえ、子供が、十分な力で蓋を捻ることによって、容器を開けることができる。また、蓋に悩む大人、又は、操作を一時的に間違う大人も、不正開口に抵抗する構成を壊したり、それを超えたりすることができるねじり力を加えることができる。
【０００７】
本発明によって、大人が扱わない場合には常に幼児がその内容物に接触することを妨げる容器用の閉蓋具、また、便利にその内容物をシリンジに吸い込むことができる又は注ぐことができる容器用の閉蓋具が提供される。更に、本発明によって、過剰なねじり力を加えた場合にも、流出及び／又は破損を妨げる閉蓋具が提供される。
【発明の概要】
【０００８】
本発明によると、容器の開口部の周りで容器に取付可能となっており、少なくとも２つの内側貫通孔を形成している内側部分と、この内側部分に装着可能となっており、少なくとも１つの外側貫通孔を形成している外側部分と、この内側部分とこの外側部分との間に偏倚力を及ぼすように構成されている偏倚手段とを備えている容器用の閉蓋具において、外側部分が、内側部分に装着されたとき、内側部分に対して摺動することが可能であり、この摺動は、外側貫通孔が内側部分によって閉塞される休止位置と、外側貫通孔が第１の内側貫通孔と整列される第１の取出し位置と、外側貫通孔が第２の内側貫通孔と整列される第２の取出し位置との間におけるものであり、第２の取出し位置に向かう外側部分のこの摺動が、偏倚力に抗して起きるように構成されている、閉蓋具が提供される。
【０００９】
外側部分は、偏倚手段の実質的な干渉なしに、休止位置と第１の取出し位置との間で摺動するように構成されてもよく、偏倚力に抗して、第１の取出し位置から第２の取出し位置まで摺動するように構成されてもよい。
【００１０】
第１の内側貫通孔には、逆流防止弁のような、流出を抑えるための付属品が設けられていてもよい。この付属品は、例えばシリンジの端部のような細長い対象物を通すことによって開口され、かつ、細長い対象物を開口部から抜き取ると閉鎖されることができる貫通孔を形成する弁であることが好ましい。
【００１１】
内側部分と外側部分との間にある摺動は回転移動であってもよく、例えば、閉蓋具は、外側部分を内側部分に対して捻ることができるように構成されてもよい。
【００１２】
内側部分は、容器に固定状態で又は着脱自在に取付可能であってもよく、取付部分を介して、容器に間接的に取付可能であってもよい。内側部分は、取付部分に対して摺動可能であってもよい。好ましくは、内側部分は、取付部分に対して固定されたままにあってもよく、所定の閾値を超える摺動力を内側部分に加えた場合、取付部分に対して摺動してもよい。
【００１３】
本発明をより良く理解するために、また、如何に実施するかを示すために、添付図面を参照しながら、本発明を非限定的な実施形態によって説明する。
【図面の簡単な説明】
【００１４】
【図１】本発明による蓋を装着しているボトルの側面図である。
【図２】図１におけるボトル及び蓋の上面図である。
【図３】図１におけるボトル及び蓋の主要構成要素の分解図である。
【図４】図１における蓋の組立断面図である。
【図５】図４における蓋のねじ付きカラーの断面側面図である。
【図６】図４における蓋の内側部分の底面図である。
【図７】図６における内側部分のＶＩＩ−ＶＩＩに沿った断面図である。
【図８】図６における内側部分のＶＩＩＩ−ＶＩＩＩに沿った断面図である。
【図９】図４における蓋の外側部分及びばねの断面図である。
【図１０】図９における外側部分のＸ−Ｘに沿った断面底面図である。
【図１１】図５における内側部分及びばねをも組み合わせた、図１０における外側部分の断面底面図である。
【発明を実施するための形態】
【００１５】
図面を参照すると、蓋の形態をとる本発明による閉蓋具の全体を参照番号１０で示す。
【００１６】
図１〜図３を参照すると、蓋１０は、開口部の周りにねじ部１４を有するボトル１２の形態をとる容器に使用することを目的としており、この場合、ボトル１２は、液体医薬製剤を収容している。しかしながら、本発明の原理は、接触を制限する必要がある物質又は流出を防止する必要がある物質を収容している他の容器用の閉蓋具にも適用される。
【００１７】
図３及び図４を参照すると、蓋１０は、ねじ付きカラー（thread collar）１６、内側蓋１８及び外側蓋２０の３つの構成要素を含む。
【００１８】
ねじ付きカラー１６は、図５においてより詳細に示されており、円筒形スリーブの全体形状を有し、その内側に、ボトルのねじ部１４を受けることができる螺旋状の溝２２を有する。ねじ付きカラー１６の外側には、２本の環状の溝（周溝）２４がある。
【００１９】
内側蓋１８は、図６〜図８において詳細に示されており、略円筒形の側壁２６及び略円盤形の端壁２８を含む。側壁２６の内側には、ねじ付きカラー１６にある溝２４と相補的に形成されている２本の環状の隆起部３０がある。内側蓋１８における内周面及び隆起部３０と、ねじ付きカラー１６における外周面及び溝２４とは、以下のような形状及び寸法にある。すなわち、内側蓋１８が締まり嵌めにてねじ付きカラー１６の外側に装着され得るが、複数の構成要素間にある所定の干渉又は摩擦を克服できるほど大きなねじり力を加えた場合、隆起部３０が溝２４に沿って摺動する状態で、内側蓋がねじ付きカラーに対して回転できる形状及び寸法にある。したがって、内側蓋１８は、ねじ付きカラー１６を介してボトル１２に取り付けられ得るが、所定のねじり力が内側蓋に加えられた場合には、ボトルに対して回転することができる。
【００２０】
内側蓋１８の端壁２８は、その中心部に下向き突出部３２を形成しており、そこには２つの内側貫通孔が、ほとんど同等な直径で、かつ、端壁のほとんど同じ半径距離上に形成されている。第１の内側貫通孔は、シリンジ用の弁３８の形態をとる付属品が装着されているシリンジ用の円筒形開口部３６であり、第２の内側貫通孔は、注出用の円筒形開口部３４である。シリンジ用の弁３８は、可撓性材料からなる本体を備えており、円錐形の壁４０を有する。この円錐形の壁４０によって、シリンジ端部のような細長い対象物は、上頂から弁３８の中に入り、２つの壁４０を押し開いてその間にある貫通孔を開口させてから、貫通孔３６を通ることができる。シリンジ端部を弁３８から抜き取ると、２つの壁４０の隙間が縮まって貫通孔が閉じられ、よって、弁が閉じられる。このように、弁３８は、逆流防止弁として機能し、液体がボトル１２の内側から弁を通過することを抑制又は好適に防止することができる。
【００２１】
互いに正反対の２つのストッパ形成体４２が、壁２６の外側から延びている。
【００２２】
外側蓋２０は、図９において詳細に示されており、また、円筒形の側壁４４及び円盤形の端壁４６を含む。側壁４４の下端には、内向きリップ４８があり、ねじ付きカラー１６及び内側蓋１８は、外側蓋の内側に装着され、外側蓋がねじ付きカラーに対して容易に摺動できるが、所定の位置に保持できるという態様で、リップ４８がねじ付きカラーの下周縁部に係合することができる。外側蓋２０の内側寸法及び内側蓋１８の外側寸法は、外側蓋が内側蓋に対して自由に回転できるように構成されている。
【００２３】
凹部５０が外側蓋２０の端壁４６の下側に形成されており、外側貫通孔５２又は外側開口部５２が、凹部５０における端壁４６を貫通して形成されている。外側開口部５２は、注出用の開口部３４及びシリンジ用の開口部３６とほとんど同様な直径を有し、ほとんど同じ半径距離上に配置される。
【００２４】
幅の広い環状の凹部５４が、外側蓋２０の側壁４４の内側に形成されている。しかし、凹部５４は、側壁４４の内周面に沿って連続的に延びておらず、２つの互いに正反対のストッパ形成体５６によって遮断されている。好ましい実施形態において、換気路５８が、外側蓋２０に形成されており、凹部５０から、端壁４６と、側壁４４と、２つのストッパ形成体５６中の一方の内側とに沿って、外側蓋の下縁にまで延びている。換気路５８を、図４及び図９には示していないが、図１０において示している。
【００２５】
偏倚手段が、互いに正反対の位置にある２つの凹部５４の内側に装着されている２つの圧縮ばね６０として設けられている。図４及び図１１に示すように、内側蓋１８のストッパ形成体４２は、凹部５４の中へと外側に突き出ており、ばね６０のそれぞれは、圧縮されたとき、内側蓋のストッパ形成体と外側蓋のストッパ形成体との間に偏倚力又は力を及ぼすことができるように、ストッパ形成体４２とストッパ形成体５６との間に延びている。
【００２６】
使用の際、図３、図４及び図１１に示すように、ねじ付きカラー１６は、ボトル１２に密接に螺合されており、内側蓋１８は、ねじ付きカラーに密接に、しかし摺動可能に装着され、外側蓋２０は、ねじ付きカラー及び内側蓋の上を容易に回転することができる。
【００２７】
蓋１０を使用しないとき、外側蓋２０は典型的に、図１１に示すような休止位置にあり、この場合、外側開口部５２は、シリンジ用の開口部３６とも注出用の開口部３４とも整列されず、外側開口部が端壁２８によって閉塞されて、液体がボトルから流出するために形成された開いた通路がない状態となる。この休止位置において、ばね６０のそれぞれは、関連するストッパ形成体４２とストッパ形成体５６との間にある間隔の一部に延びているだけである。
【００２８】
シリンジを用いて、ボトル１２の内側から液体を取り出すとき、外側蓋２０は捻られて、休止位置から、シリンジ用の開口部３６と外側開口部５２とが概ね整列される第１の取出し位置にまで摺動する。このねじり運動によって、各ばね６０のどちらかの端部にあるストッパ形成体４２、５６は、各ばね６０が両ストッパ形成体と接触する程度まで又はその程度を若干越えて、互いに近づくが、この運動は、両ばねが、両ストッパ形成体に大幅に膨張した偏倚力を及ぼす程度まで圧縮されるほど十分ではない。したがって、摺動に対する微小の抵抗があって、それ以上のねじり力が加えられなくても、外側蓋は第１の取出し位置に保持される。
【００２９】
外側蓋が第１の取出し位置にあるとき、シリンジ端部は、外側開口部５２及び弁３８を通ることができ、ボトル１２を逆さにすることによって、液体をシリンジの中に吸い込むことができる。ユーザは蓋を抑える必要がなく、ユーザの両手は、ボトルの保持及び／又はシリンジの操作を行うことができる。シリンジを抜き取ると、壁４０の弾性によって、弁３８が閉じられる。
【００３０】
外側蓋２０が第１の取出し位置にあるとき、シリンジを抜き取った後、シリンジ弁３８の逆止作用によって、シリンジを用いた液体の除去を補うために、大気中の空気がボトルの中に入ることができるが、弁を通って液体が流出することを防止することもできる。したがって、ボトル１２が倒れたとしても、子供がボトルを手にしたとしても、ボトルから液体が流出する可能性が極めて少ない。
【００３１】
換気路５８を備えている好適な実施形態において、外側蓋が第１の取出し位置にあるとき、換気路の入口は、注出用の開口部３４と揃い、換気路が注出用の通路を通ってボトル１２の内側に繋がり、大気中に開放される。したがって、液体をシリンジの中に吸い取ると、ボトル内側の圧力降下を補うために、大気中の空気が、換気路を通ってボトルの中に入ることができる。
【００３２】
ボトル１２から液体を注ぐ必要があるとき、図４に示すように、外側蓋２０は捻られて、休止位置から又は第１の取出し位置から、外側開口部５２が注出用の開口部３４と整列される第２の取出し位置にまで摺動する。このねじり運動中に、各ばね６０の両側にあるストッパ形成体４２、５６は、ばねを圧縮する程度までに互いに近づき、それにより、ねじり運動に抵抗する膨張した力又は偏倚力を及ぼすことができる。したがって、外側蓋を捻るためにユーザが施した力を除去すると、ストッパ形成体４２、５６を互いに離すように両ばね６０の偏倚力が加えられ、よって、外側蓋２０は反対方向に捻られる。
【００３３】
そのため、外側蓋２０は、両ばね６０の偏倚力に抗して第２の取出し位置に捻られ得るが、ボトル１２から液体を注出用の開口部３４及び外側開口部５２を通って注ぐときには、偏倚力に抗してその位置に保持される必要がある。図１及び図２に示すように、注ぐ作業は、外側蓋２０の頂部に設けられている注出口構造６２によって補助される。
【００３４】
ユーザが外側蓋２０を放すと、両ばねの偏倚力によって、外側蓋は、第１の取出し位置に戻り、この場合、注出用の開口部３４は、閉鎖されるか、換気路５８と連通されるが、どちらにしても、大量の液体がボトル１２から流出することはできない。
【００３５】
ユーザがかなり大きなねじり力を外側蓋２０に加えた場合、例えば、外側蓋２０を第１の取出し位置から第２の取出し位置を越えて捻ろうとしたときには、又は、外側蓋２０を休止位置から反対方向に捻ろうとしたときには、両ストッパ形成体４２、５６（あるいは、回転方向よっては、両ばね６０を経て）によって、ねじり力が外側蓋２０から内側蓋１８に移ることができ、また、ねじり力が所定の閾値を超えたときには、内側蓋とねじ付きカラー１６との間にある摩擦力を超えて、内側蓋１８及び外側蓋２０が共にねじ付きカラーの周りを回転することができる。ねじり力を除去すると、なんらの損傷もなしに蓋１０が原状に戻れるように、内側蓋１８は再びねじ付きカラー１６と噛み合い、両ばね６０が圧縮された場合には、両ばね６０が広がる。
【図１】
2012504080.tif 000003
【図２】
2012504080.tif 000004
【図３】
2012504080.tif 000005
【図４】
2012504080.tif 000006
【図５】
2012504080.tif 000007
【図６】
2012504080.tif 000008
【図７】
2012504080.tif 000009
【図８】
2012504080.tif 000010
【図９】
2012504080.tif 000011
【図１０】
2012504080.tif 000012
【図１１】
2012504080.tif 000013
【国際調査報告】
2012504080.tif 000014
2012504080.tif 000015
2012504080.tif 000016